(57)【要約】【課題】インクジェットプリンタにおいて、紫外線硬化型インクを用いる場合について、より適切な方法で印刷を行う。【解決手段】紫外線硬化型インクのインク滴を媒体へ吐出するヘッド部と、制御部とを備え、ヘッド部は、マルチパス方式により、媒体における同じ領域に対して、予め設定されたＮ回（Ｎは、３以上の整数）の印刷パスのそれぞれに対応する主走査動作を行い、制御部は、最後のｋ回（ｋは、１以上Ｎ未満の整数）の印刷パスにおいて行う印刷の濃度を、（Ｎ−ｋ）番目の印刷パスにおいて行う印刷の濃度よりも低くし、かつ、ヘッド部のノズル列において、ヘッド部のノズル列のうち、（Ｎ−ｋ＋１）番目の印刷パスの分のインク滴を吐出する複数のノズルのそれぞれにより行う印刷の濃度を、ヘッド後端側へ向かって徐々に低く設定する。【選択図】図３
2015096316.tif 000002
【特許請求の範囲】
【請求項１】
インクジェット方式で印刷を行う印刷装置であって、
紫外線硬化型インクのインク滴を媒体へ吐出するノズルが複数個並ぶノズル列を有するヘッド部と、
予め設定された主走査方向へ移動しつつインク滴を吐出する主走査動作を前記ヘッド部に行わせる主走査駆動部と、
前記主走査方向と直交する副走査方向へ、前記媒体に対して相対的に前記ヘッド部を移動させる副走査駆動部と、
前記ヘッド部による前記主走査動作を制御する制御部と
を備え、
前記ヘッド部の前記ノズル列において、前記複数のノズルは、前記副走査方向へ並んでおり、
前記ヘッド部は、前記媒体における同じ領域に対して複数回の前記主走査動作を行うマルチパス方式で前記媒体への印刷を行い、かつ、前記媒体における同じ領域に対して、予め設定されたＮ回（Ｎは、３以上の整数）の印刷パスのそれぞれに対応する前記主走査動作を行い、
前記制御部は、
少なくとも、前記媒体における同じ領域に対して行う前記Ｎ回の印刷パスのうち、最後のｋ回（ｋは、１以上Ｎ未満の整数）の前記印刷パスにおいて行う印刷の濃度を、（Ｎ−ｋ）番目の前記印刷パスにおいて行う印刷の濃度よりも低くし、
かつ、前記ヘッド部の前記ノズル列において、前記Ｎ回の印刷パスにおいて１番目の前記印刷パス分のインク滴を吐出するノズルから、Ｎ番目の前記印刷パス分のインク滴を吐出するノズルへ向かう方向をヘッド後端側とした場合、前記ヘッド部の前記ノズル列のうち、（Ｎ−ｋ＋１）番目の前記印刷パスの分のインク滴を吐出する複数の前記ノズルのそれぞれにより行う印刷の濃度を、前記ヘッド後端側へ向かって徐々に低く設定することを特徴とする印刷装置。
【請求項２】
前記制御部は、
少なくとも、前記媒体における同じ領域に対して行う前記Ｎ回の印刷パスのうち、最後の１回の前記印刷パスにおいて行う印刷の濃度を、（Ｎ−１）番目の前記印刷パスにおいて行う印刷の濃度よりも低くし、
かつ、
前記ヘッド部の前記ノズル列のうち、前記最後の１回の前記印刷パスの分のインク滴を吐出する複数の前記ノズルのそれぞれにより行う印刷の濃度を、前記ヘッド後端側へ向かって徐々に低く設定することを特徴とする請求項１に記載の印刷装置。
【請求項３】
前記主走査駆動部は、前記主走査方向において予め設定された往路方向と、前記往路方向と反対の復路方向とのそれぞれの方向について、前記ヘッド部に主走査動作を行わせ、
前記副走査駆動部は、前記往路方向への前記主走査動作と、前記復路方向への前記主走査動作との合間、及び、前記復路方向への前記主走査動作と、前記往路方向への前記主走査動作との合間のそれぞれにおいて、前記媒体に対して相対的に前記ヘッド部を移動させることを特徴とする請求項１又は２に記載の印刷装置。
【請求項４】
前記制御部は、前記ヘッド部の前記ノズル列における前記複数のノズルのそれぞれにより行う印刷の濃度について、前記副走査方向における前記ノズル列の中央部分を中心にして、前記ヘッド後端側と反対の方向であるヘッド前端側へ向かう方向と、前記ヘッド後端側へ向かう方向とで前記濃度の変化の仕方が対称になるように設定することを特徴とする請求項１から３のいずれかに記載の印刷装置。
【請求項５】
前記制御部は、前記副走査方向における前記ノズル列の中央部分の前記ノズルにより行う印刷の濃度が前記ノズル列の端の前記ノズルにより行う印刷の濃度よりも高く、かつ、前記中央部分から離れるに従って徐々に濃度が低くなるように、前記複数のノズルのそれぞれにより行う印刷の濃度を設定することを特徴とする請求項４に記載の印刷装置。
【請求項６】
前記ヘッド部は、スタガ状に並ぶ複数のインクジェットヘッドを有し、
前記複数のインクジェットヘッドのそれぞれは、前記副走査方向へ前記ノズルが並ぶノズル列をそれぞれ有し、
前記制御部は、それぞれの前記インクジェットヘッドにおける前記ノズル列に含まれる複数の前記ノズルにより行う印刷の濃度について、前記副走査方向における前記ノズル列の中央部分の前記ノズルにより行う印刷の濃度が高く、かつ、前記中央部分から離れるに従って徐々に濃度が低くなるように設定することを特徴とする請求項４に記載の印刷装置。
【請求項７】
インクジェット方式で印刷を行う印刷方法であって、
紫外線硬化型インクのインク滴を媒体へ吐出するノズルが複数個並ぶノズル列を有するヘッド部に、
予め設定された主走査方向へ移動しつつインク滴を吐出する主走査動作と、
前記主走査方向と直交する副走査方向へ前記媒体に対して相対的に移動する副走査動作と
を行わせ、
前記ヘッド部の前記ノズル列において、前記複数のノズルは、前記副走査方向へ並んでおり、
前記ヘッド部による前記主走査動作を制御することにより、
前記ヘッド部に、前記媒体における同じ領域に対して複数回の前記主走査動作を行うマルチパス方式で前記媒体への印刷を行わせ、かつ、前記媒体における同じ領域に対して、予め設定されたＮ回（Ｎは、３以上の整数）の印刷パスのそれぞれに対応する前記主走査動作を行わせ、
前記主走査動作の制御において、
少なくとも、前記媒体における同じ領域に対して行う前記Ｎ回の印刷パスのうち、最後のｋ回（ｋは、１以上Ｎ未満の整数）の前記印刷パスにおいて行う印刷の濃度を、（Ｎ−ｋ）番目の前記印刷パスにおいて行う印刷の濃度よりも低くし、
かつ、前記ヘッド部の前記ノズル列において、前記Ｎ回の印刷パスにおいて１番目の前記印刷パス分のインク滴を吐出するノズルから、Ｎ番目の前記印刷パス分のインク滴を吐出するノズルへ向かう方向をヘッド後端側とした場合、前記ヘッド部の前記ノズル列のうち、（Ｎ−ｋ＋１）番目の前記印刷パスの分のインク滴を吐出する複数の前記ノズルのそれぞれにより行う印刷の濃度を、前記ヘッド後端側へ向かって徐々に低く設定することを特徴とする印刷方法。
【発明の詳細な説明】
【技術分野】
【０００１】
本発明は、印刷装置及び印刷方法に関する。
【背景技術】
【０００２】
従来、インクジェット方式で印刷を行うインクジェットプリンタが広く用いられている。また、インクジェットプリンタで使用するインクとして、紫外線の照射により硬化する紫外線硬化型インクが広く用いられている（例えば、非特許文献１参照。）。
【先行技術文献】
【非特許文献】
【０００３】
【非特許文献１】インターネットＵＲＬ  http://www.mimaki.co.jp
【発明の概要】
【発明が解決しようとする課題】
【０００４】
インクジェットプリンタにおいて、紫外線硬化型インクを用いる場合、媒体（メディア）の各位置に対して複数の印刷パスで印刷を行うマルチパス方式での印刷を行うことが一般的である。しかし、マルチパス方式で印刷を行う場合、印刷パスの幅の領域毎に印刷結果の様子が相違し、縞状の模様（光縞等）生じてしまう場合がある。特に、紫外線硬化型インクを用いる場合において、高い精度の印刷を高速に行おうとする場合、このような縞状の模様の発生が大きな問題になる場合がある。そのため、従来、インクジェットプリンタにおいて、紫外線硬化型インクを用いる場合について、このような縞状の模様の発生を抑え、より適切な方法で印刷をすることが望まれていた。そこで、本発明は、上記の課題を解決できる印刷装置及び印刷方法を提供することを目的とする。
【課題を解決するための手段】
【０００５】
インクジェットプリンタにおいて、印刷結果の状態は、様々な条件に応じて決まる。そのため、例えば一定の様子の印刷不良が生じたとしても、その原因を突き止めることは容易ではない。また、より具体的に、インクジェットプリンタにおいて、紫外線硬化型インクを用いる場合について、従来、上記のような線状の領域が発生する原因については、十分に解明されていなかった。
【０００６】
そこで、本願の発明者は、縞状の模様が発生する原因について、鋭意研究を行った。そして、先ず、縞状の模様が目立つ直接の原因として、印刷後の媒体に形成されるインクの層のうち、表層部（最上部）に形成されるインクのドットの形状が不均一であることが大きく関連していることを見出した。
【０００７】
ここで、インクのドットの形状の不均一は、例えば、媒体上で未硬化状態のインクのドットが連結すること等により生じる。また、インクジェットプリンタにおいて、紫外線硬化型インクを用いる場合、マルチパス方式で媒体上に形成されるインクのドットのうち、インクの層の表層部に形成されるインクのドットは、一部分のみであり、その他のインクのドットは、インクの層の下層において、下地として機能する。また、より具体的に、近年広く用いられている通常のインクジェットプリンタにより、例えば６００ｄｐｉの解像度で印刷を行った場合、表層部に形成されるインクのドットは、全体の２０％程度であり、その他の８０％程度のインクのドットは、下地として機能する。
【０００８】
そこで、本願の発明者は、先ず、マルチパス方式で印刷を行う複数の印刷パスのうち、表層部のインクのドットを形成する印刷パスについて、他の印刷パスよりも低い濃度で印刷を行うことを検討した。この場合、印刷パスの濃度とは、例えば、印刷パス幅のバンド領域内においてその印刷パスで形成するインクのドットの密度に対応する濃度である。このように構成すれば、印刷パスで形成するインクのドットについて、例えば、隣接するドット間の距離を十分に大きくして、ドットの連結を生じにくくすることができる。また、これにより、インクの層の表層部について、インクのドットの形状をより均一化できると考えられる。
【０００９】
しかし、本願の発明者は、更なる鋭意研究により、最後の印刷パスの濃度について、単に他の印刷パスよりも低い濃度にするのみでは、印刷パスの境界が目立ってしまう場合があることを見出した。また、その原因について、印刷パスの濃度の変化のさせ方が大きく関連していることを見出した。より具体的には、例えば、各印刷パスの濃度について、単に印刷パスを単位に変化させた場合、最後の印刷パスの濃度は、その直前の印刷パスの濃度と比べて、ステップ状に変化することになる。しかし、インクジェットプリンタにおいて、特定の境界を挟んで濃度が大きく変化する場合、その境界が目立つことになる。そのため、最後の印刷パスの濃度について、単に他の印刷パスよりも低い濃度にするのみでは、印刷パスの境界が目立つことになると考えられる。
【００１０】
そこで、本願の発明者は、印刷パスの濃度について、単に印刷パスを単位にステップ状に変化させるのではなく、印刷パス内においても徐々に変化をさせることを考えた。また、このように濃度を変化させることにより、印刷パスの境界が目立つことを防ぎ、より適切に印刷を行い得ることを見出した。上記の課題を解決するために、本発明は、以下の構成を有する。
【００１１】
（構成１）インクジェット方式で印刷を行う印刷装置であって、紫外線硬化型インクのインク滴を媒体へ吐出するノズルが複数個並ぶノズル列を有するヘッド部と、予め設定された主走査方向へ移動しつつインク滴を吐出する主走査動作をヘッド部に行わせる主走査駆動部と、主走査方向と直交する副走査方向へ、媒体に対して相対的にヘッド部を移動させる副走査駆動部と、ヘッド部による主走査動作を制御する制御部とを備え、ヘッド部のノズル列において、複数のノズルは、副走査方向へ並んでおり、ヘッド部は、媒体における同じ領域に対して複数回の主走査動作を行うマルチパス方式で媒体への印刷を行い、かつ、媒体における同じ領域に対して、予め設定されたＮ回（Ｎは、３以上の整数）の印刷パスのそれぞれに対応する主走査動作を行い、制御部は、少なくとも、媒体における同じ領域に対して行うＮ回の印刷パスのうち、最後のｋ回（ｋは、１以上Ｎ未満の整数）の印刷パスにおいて行う印刷の濃度を、（Ｎ−ｋ）番目の印刷パスにおいて行う印刷の濃度よりも低くし、かつ、ヘッド部のノズル列において、Ｎ回の印刷パスにおいて１番目の印刷パス分のインク滴を吐出するノズルから、Ｎ番目の印刷パス分のインク滴を吐出するノズルへ向かう方向をヘッド後端側とした場合、ヘッド部のノズル列のうち、（Ｎ−ｋ＋１）番目の印刷パスの分のインク滴を吐出する複数のノズルのそれぞれにより行う印刷の濃度を、ヘッド後端側へ向かって徐々に低く設定する。
【００１２】
このように構成した場合、例えば、最後の印刷パスを含むｋ回の印刷パスにおける印刷の濃度を低くすることにより、インクの層の表層部に形成するインクのドットについて、例えば、密度を小さくし、ドットの連結等を生じにくくすることができる。また、これにより、インクの層の表層部について、インクのドットの形状を適切に均一化できる。そのため、このように構成すれば、例えば、紫外線硬化型インクを用いてマルチパス方式で印刷を行う場合において、印刷パスの幅の縞状の模様が発生すること等を適切に抑えることができる。
【００１３】
また、このように構成した場合、直前の印刷パスと比べて印刷の濃度を低くする（Ｎ−ｋ＋１）番目の印刷パスについて、印刷パス全体の濃度を均一に低くするのではなく、その印刷パスの分のインク滴を吐出する複数のノズルのそれぞれにより行う印刷の濃度を、ヘッド後端側へ向かって徐々に低く設定する。この場合、印刷パス単位で印刷の濃度がステップ状に大きく変化することはない。
【００１４】
そのため、このように構成すれば、例えば、印刷パスの境界が目立つことを適切に防ぐことができる。また、これにより、例えば、縞状の模様が発生すること等をより適切に抑えることができる。また、縞状の模様の発生等を抑えることにより、例えば、インクジェットプリンタにおいて、紫外線硬化型インクを用いる場合について、より適切な方法で印刷を行うことができる。
【００１５】
尚、（Ｎ−ｋ＋１）番目の印刷パスの分のインク滴を吐出する複数のノズルのそれぞれにより行う印刷の濃度について、ヘッド後端側へ向かって徐々に低く設定するとは、例えば、ヘッド後端側へ向かう程濃度が低くなるように、それぞれのノズルに対応する印刷の濃度を設定することである。この場合、必ずしも全てのノズルについて互いに濃度を異ならせるのではなく、例えば一部のノズルについて、隣接するノズルと同じ濃度を設定してもよい。例えば、各ノズルによる印刷の濃度について、予め設定された複数本のノズルを単位にして、徐々に変化させてもよい。また、各ノズルによる印刷の濃度は、より精細に、１本のノズルを単位にして、徐々に変化させてもよい。
【００１６】
（構成２）制御部は、少なくとも、媒体における同じ領域に対して行うＮ回の印刷パスのうち、最後の１回の印刷パスにおいて行う印刷の濃度を、（Ｎ−１）番目の印刷パスにおいて行う印刷の濃度よりも低くし、かつ、ヘッド部のノズル列のうち、最後の１回の印刷パスの分のインク滴を吐出する複数のノズルのそれぞれにより行う印刷の濃度を、ヘッド後端側へ向かって徐々に低く設定する。
【００１７】
このように構成した場合、例えば、最後の印刷パスにおいて行う印刷の濃度について、低い濃度に適切に設定できる。また、これにより、例えば、インクの層の表層部について、インクのドットの形状を適切に均一化できる。また、最後の１回の印刷パスについて、印刷パスの境界が目立つことを適切に防ぐことができる。そのため、このように構成すれば、例えば、インクジェットプリンタにおいて、紫外線硬化型インクを用いる場合について、より適切な方法で印刷を行うことができる。尚、濃度を低下させる印刷パスは、最後の印刷パスのみに限らなくてもよい。例えば、最後から２番目の印刷パスにおいて、その前の印刷パスよりも濃度を低下させてもよい。
【００１８】
（構成３）主走査駆動部は、主走査方向において予め設定された往路方向と、往路方向と反対の復路方向とのそれぞれの方向について、ヘッド部に主走査動作を行わせ、副走査駆動部は、往路方向への主走査動作と、復路方向への主走査動作との合間、及び、復路方向への主走査動作と、往路方向への主走査動作との合間のそれぞれにおいて、媒体に対して相対的にヘッド部を移動させる。
【００１９】
このように構成すれば、例えば、媒体の各領域に対し、マルチパス方式で適切に印刷を行うことができる。また、この場合、媒体に対して相対的に副走査方向へ印刷部を移動させる副走査動作を往路及び復路のそれぞれの主走査動作の後に行うことにより、媒体の同じ領域に対し、往路及び復路のそれぞれにおいて、ヘッド部における異なるノズルでインクのドットを形成することができる。そのため、このように構成すれば、例えば、ノズルの特性をより適切に均一化し、高い精度での印刷をより適切に行うことができる。
【００２０】
尚、マルチパス方式で印刷を行う方法としては、例えば、主走査動作の往路と復路との間には副走査動作を行わずに、往復の主走査動作を行う毎に副走査動作を行う方法も考えられる。このように構成すれば、例えば、往路及び復路を単位にして印刷の動作を行うことにより、最終的な印刷結果について、往路と復路との間に生じる印刷特性の差に起因する影響が生じにくい。しかし、この場合、媒体の各領域に対し、往路及び復路でヘッド部の同じノズルでインクのドットを形成することになる。そのため、この場合、往路と復路との間でノズルの特性を平均化することはできない。また、例えばいずれかのノズルの吐出特性にずれ等が生じた場合、その影響がより大きく現れることになる。これに対し、構成３のように構成した場合、上記のように、ノズルの特性をより適切に均一化することができる。また、これにより、高い精度での印刷をより適切に行うことができる。
【００２１】
（構成４）制御部は、ヘッド部のノズル列における複数のノズルのそれぞれにより行う印刷の濃度について、副走査方向におけるノズル列の中央部分を中心にして、ヘッド後端側と反対の方向であるヘッド前端側へ向かう方向と、ヘッド後端側へ向かう方向とで濃度の変化の仕方が対称になるように設定する。
【００２２】
マルチパス方式で印刷を行う場合、それぞれの印刷パスによる印刷の濃度を合計した濃度について、媒体上の各位置について、予め設定された所定の濃度に合わせることが必要となる。そのため、例えば、いずれかの印刷パスの濃度を低くした場合、他の印刷パスの濃度について、その分だけ、濃度を高めることが必要となる。また、濃度の設定について、単に印刷パス単位で設定するのではなく、いずれかの印刷パスの分のインク滴を吐出する複数のノズルによる印刷の濃度について、徐々に変化するように設定した場合、他の印刷パスにおいて、この変化分を補完するように濃度を設定することが必要になる。
【００２３】
しかし、このような補完を行うための濃度の設定は、必ずしも容易なものではなく、複雑になる場合がある。そのため、各ノズルによる印刷の濃度を徐々に変化させる場合、複数の印刷パスによる印刷の濃度の合計を合わせることが難しくなる場合もある。
【００２４】
これに対し、構成４のように構成した場合、例えば、濃度の変化の仕方に対称性を持たせることにより、各ノズルによる印刷の濃度について、ヘッド後端側とヘッド前端側との間で適切に補完することができる。そのため、このように構成すれば、例えば、最後の印刷パス等の印刷の濃度を適切に低くすることができる。また、これにより、例えば、インクの層の表層部について、インクのドットの形状をより適切に均一化できる。
【００２５】
（構成５）制御部は、副走査方向におけるノズル列の中央部分のノズルにより行う印刷の濃度がノズル列の端のノズルにより行う印刷の濃度よりも高く、かつ、中央部分から離れるに従って徐々に濃度が低くなるように、複数のノズルのそれぞれにより行う印刷の濃度を設定する。
【００２６】
このように構成すれば、最後の印刷パス等の印刷の濃度について、低い濃度を適切に設定できる。また、これにより、例えば、インクの層の表層部について、インクのドットの形状をより適切に均一化できる。
【００２７】
尚、この構成において、ヘッド部は、スタガ状に並ぶ複数のインクジェットヘッドを有してもよい。この場合、複数のインクジェットヘッドのそれぞれは、例えば、副走査方向へノズルが並ぶノズル列をそれぞれ有する。また、この場合、ヘッド部のノズル列とは、例えば、複数のインクジェットヘッドのそれぞれにおけるノズル列を副走査方向において仮想的に連結したノズル列のことであってよい。
【００２８】
（構成６）ヘッド部は、スタガ状に並ぶ複数のインクジェットヘッドを有し、複数のインクジェットヘッドのそれぞれは、副走査方向へノズルが並ぶノズル列をそれぞれ有し、制御部は、それぞれのインクジェットヘッドにおけるノズル列に含まれる複数のノズルにより行う印刷の濃度について、副走査方向におけるノズル列の中央部分のノズルにより行う印刷の濃度が高く、かつ、中央部分から離れるに従って徐々に濃度が低くなるように設定する。
【００２９】
このように構成すれば、最後の印刷パス等の印刷の濃度について、低い濃度を適切に設定できる。また、これにより、例えば、インクの層の表層部について、インクのドットの形状をより適切に均一化できる。
【００３０】
また、インクジェットヘッドにおいて、ノズル列の端のノズルは、通常、ノズル列の中央部のノズルと比べ、着弾位置のずれ等が生じやすい。これに対し、このように構成した場合、スタガ状の並ぶそれぞれのインクジェットヘッドにおいて、ノズル列の端のノズルについて、そのノズルによる印刷の濃度を低く設定することになる。そのため、例えばそれぞれのインクジェットヘッドについて、ノズル列の端のノズルの影響を適切に低減できる。また、これにより、例えばノズル列の端のノズルにおいて着弾位置のずれ等が生じた場合にも、印刷結果への影響を適切に抑えることができる。そのため、このように構成すれば、例えば、スタガ状に並ぶ複数のインクジェットヘッドの構成に合わせ、各印刷パスの濃度をより適切に設定できる。
【００３１】
（構成７）インクジェット方式で印刷を行う印刷方法であって、紫外線硬化型インクのインク滴を媒体へ吐出するノズルが複数個並ぶノズル列を有するヘッド部に、予め設定された主走査方向へ移動しつつインク滴を吐出する主走査動作と、主走査方向と直交する副走査方向へ媒体に対して相対的に移動する副走査動作とを行わせ、ヘッド部のノズル列において、複数のノズルは、副走査方向へ並んでおり、ヘッド部による主走査動作を制御することにより、ヘッド部に、媒体における同じ領域に対して複数回の主走査動作を行うマルチパス方式で媒体への印刷を行わせ、かつ、媒体における同じ領域に対して、予め設定されたＮ回（Ｎは、３以上の整数）の印刷パスのそれぞれに対応する主走査動作を行わせ、主走査動作の制御において、少なくとも、媒体における同じ領域に対して行うＮ回の印刷パスのうち、最後のｋ回（ｋは、１以上Ｎ未満の整数）の印刷パスにおいて行う印刷の濃度を、（Ｎ−ｋ）番目の印刷パスにおいて行う印刷の濃度よりも低くし、かつ、ヘッド部のノズル列において、Ｎ回の印刷パスにおいて１番目の印刷パス分のインク滴を吐出するノズルから、Ｎ番目の印刷パス分のインク滴を吐出するノズルへ向かう方向をヘッド後端側とした場合、ヘッド部のノズル列のうち、（Ｎ−ｋ＋１）番目の印刷パスの分のインク滴を吐出する複数のノズルのそれぞれにより行う印刷の濃度を、ヘッド後端側へ向かって徐々に低く設定する。このように構成すれば、例えば、構成１と同様の効果を得ることができる。
【発明の効果】
【００３２】
本発明によれば、例えば、インクジェットプリンタにおいて、紫外線硬化型インクを用いる場合について、より適切な方法で印刷を行うことができる。
【図面の簡単な説明】
【００３３】
【図１】本発明の一実施形態に係る印刷装置１０の一例を示す図である。図１（ａ）、（ｂ）は、印刷装置１０の要部の構成の一例を示す正面図及び上面図である。
【図２】ヘッド部１２の構成の一例を示す図である。図２（ａ）は、ヘッド部１２の全体の構成の一例を、紫外線照射部２０と共に示す。図２（ｂ）は、ヘッド部１２において同一色のインクのインク滴を吐出する複数のインクジェットヘッド２０２の構成の一例を示す。
【図３】各印刷パス毎の印刷の濃度の設定の一例を示す図である。
【図４】本例の濃度設定を用いて行った印刷の結果を示す図である。図４（ａ）は、１回の主走査動作による印刷結果の一例を示す写真である。図４（ｂ）は、印刷結果の一部を拡大して示す写真である。
【図５】インクのドットの硬化の仕方について説明をする図である。図５（ａ）は、媒体へのインク滴の着弾後、紫外線が照射されるまでの時間と、硬化後のインクのドットの高さとの関係の一例を示すグラフである。図５（ｂ）は、インクのドットが連結する様子の一例を示す。図５（ｃ）は、最後の印刷パス等において形成するインクのドットの様子の一例を示す。
【図６】濃度の設定の変形例を示す図である。図６（ａ）は、濃度の設定の第１の変形例を示す。図６（ｂ）は、濃度の設定の第２の変形例を示す。
【図７】濃度の設定の更なる変形例（第３の変形例）を示す図である。
【図８】第３の変形例の濃度設定を用いて行った印刷の結果を示す図である。
【発明を実施するための形態】
【００３４】
以下、本発明に係る実施形態を、図面を参照しながら説明する。図１は、本発明の一実施形態に係る印刷装置１０の一例を示す。図１（ａ）、（ｂ）は、印刷装置１０の要部の構成の一例を示す正面図及び上面図である。本例において、印刷装置１０は、インクジェット方式で印刷を行うインクジェットプリンタであり、ヘッド部１２、主走査駆動部１４、副走査駆動部１６、プラテン１８、紫外線照射部２０、及び制御部２２を備える。尚、以下において説明をする点以外について、印刷装置１０は、公知のインクジェットプリンタと同一又は同様の構成を有してよい。例えば、以下に説明をする点を除き、上記の各構成は、公知のインクジェットプリンタと同一又は同様の特徴を有してよい。また、印刷装置１０は、上記の各構成以外に、公知のインクジェットプリンタと同一又は同様の他の構成を更に有してよい。
【００３５】
ヘッド部１２は、インク滴を吐出するノズルが複数個並ぶノズル列を有する部分であり、印刷対象の媒体（メディア）５０へインク滴を吐出することにより、媒体５０への印刷を行う。また、本例において、ヘッド部１２は、ノズル列の各ノズルから、紫外線硬化型インクのインク滴を媒体５０へ吐出する。尚、ヘッド部１２のより具体的な構成については、後に詳しく説明をする。
【００３６】
主走査駆動部１４は、予め設定された主走査方向（図中のＹ方向）へ移動しつつインク滴を吐出する主走査動作をヘッド部１２に行わせる構成である。本例において、主走査駆動部１４は、キャリッジ１０２及びガイドレール１０４を有する。キャリッジ１０２は、ノズル列と媒体５０と対向させた状態でヘッド部１２を保持する。ガイドレール１０４は、主走査方向へのキャリッジ１０２の移動をガイドするレールであり、制御部２２の指示に応じて、主走査方向へキャリッジ１０２を移動させる。また、本例において、主走査駆動部１４は、主走査方向において予め設定された往路方向と、往路方向と反対の復路方向とのそれぞれの方向について、ヘッド部１２に主走査動作を行わせる。
【００３７】
副走査駆動部１６は、主走査方向と直交する副走査方向（図中のＸ方向）へ媒体５０に対して相対的に移動する副走査動作をヘッド部１２に行わせる構成である。本例において、副走査駆動部１６は、媒体５０を搬送するローラであり、主走査動作の合間に媒体５０を搬送することにより、ヘッド部１２に副走査動作を行わせる。この場合、より具体的に、副走査駆動部１６は、往路方向への主走査動作と、復路方向への主走査動作との合間、及び、復路方向への主走査動作と、往路方向への主走査動作との合間のそれぞれにおいて、予め設定された印刷パス幅分、媒体５０に対して相対的にヘッド部１２を移動させる。
【００３８】
プラテン１８は、媒体５０を載置する台状部材であり、ヘッド部１２と対向させて媒体５０を支持する。紫外線照射部２０は、媒体５０上に形成されたインクのドットに紫外線を照射する紫外線光源である。紫外線照射部２０としては、例えばＵＶＬＥＤを好適に用いることができる。また、紫外線照射部２０は、ヘッド部１２と共にキャリッジ１０２に保持され、主走査動作時において、ヘッド部１２と共に移動する。これにより、紫外線照射部２０は、主走査動作時において、媒体５０上のインクを硬化させる。
【００３９】
また、本例において、紫外線照射部２０は、主走査方向においてヘッド部１２の両側に配設されている。そして、往路方向及び復路方向のそれぞれの方向への主走査動作においては、ヘッド部１２の移動方向においてヘッド部１２の後方側となる紫外線照射部２０が、媒体５０上のインクに紫外線を照射する。
【００４０】
制御部２２は、例えば印刷装置１０のＣＰＵであり、例えばホストＰＣの指示に応じて、印刷装置１０の各部の動作を制御する。これにより、制御部２２は、ヘッド部１２に、主走査動作及び副走査動作等を行わせる。
【００４１】
また、より具体的に、本例において、制御部２２は、印刷装置１０に、マルチパス方式での印刷の動作を行わせる。また、マルチパス方式での印刷の動作において、それぞれの印刷パスで印刷する濃度の設定を行う。この濃度の設定については、後に更に詳しく説明をする。
【００４２】
尚、上記及び以下に説明をする点以外について、制御部２２は、例えば、従来のインクジェットプリンタにおける制御部と同一又は同様の動作を行う。例えば、制御部２２は、印刷する画像をホストＰＣから受け取り、ＲＩＰ処理等の画層形成処理等を行ってよい。また、画像形成処理により形成される画像に応じて、制御部２２は、例えば、マルチパス方式のそれぞれの印刷パスにおいて行う動作を決定する。
【００４３】
以上の構成により、本例によれば、例えば、媒体５０の各領域に対し、マルチパス方式で適切に印刷を行うことができる。また、この場合、往路及び復路のそれぞれの主走査動作の後に副走査動作を行うことにより、媒体５０の同じ領域に対し、往路及び復路のそれぞれにおいて、ヘッド部における異なるノズルでインクのドットを形成することができる。そのため、本例によれば、例えば、ノズルの特性をより適切に均一化し、高い精度での印刷をより適切に行うこともできる。
【００４４】
続いて、ヘッド部１２のより具体的な構成について、詳しく説明をする。図２は、ヘッド部１２の構成の一例を示す。図２（ａ）は、ヘッド部１２の全体の構成の一例を、紫外線照射部２０と共に示す。図２（ｂ）は、ヘッド部１２において同一色のインクのインク滴を吐出する複数のインクジェットヘッド２０２の構成の一例を示す。
【００４５】
本例において、ヘッド部１２は、複数の色のそれぞれ（ＣＭＹＫの各色）のインク滴を吐出するカラー印刷用のヘッド部であり、主走査方向の一方側及び他方側の紫外線照射部２０の間に、各色用のインクジェットヘッド２０２を、それぞれ複数個有する。また、各色用の複数のインクジェットヘッド２０２は、スタガ状に並んでいる。複数のインクジェットヘッド２０２がスタガ状に並ぶとは、例えば、図示のように、主走査方向における位置を交互にずらしつつ、副走査方向に並ぶことである。また、色が異なるインクジェットヘッド２０２は、図示のように、他の色の対応するインクジェットヘッド２０２と副走査方向の位置を揃えて、主走査方向に並んで配設される。尚、各色のインクジェットヘッド２０２の配置については、例えば、色スタガの配置にしてもよい。
【００４６】
また、本例において、それぞれのインクジェットヘッド２０２は、副走査方向へノズルが並ぶノズル列２０４をそれぞれ有する。この場合、例えば図２（ｂ）に示すように、同じ色用の複数のインクジェットヘッド２０２におけるノズル列２０４は、インクジェットヘッド２０２の位置に合わせて主走査方向の位置をずらしつつ、副走査方向へ並ぶ。そのため、それぞれのノズル列２０４について、副走査方向における位置のみを見た場合、図２（ｂ）の右側に示すように、一直線状に並んでいると考えることもできる。また、この場合、同じ色用の複数のインクジェットヘッド２０２のそれぞれにおけるノズル列２０４を副走査方向において仮想的に連結したノズル列２０６を考え、このノズル列２０６をヘッド部１２のノズル列と考えることができる。そのため、以下において、ノズル列２０４を副走査方向において仮想的に連結したノズル列２０６について、ヘッド部１２のノズル列２０６と呼ぶ。
【００４７】
尚、図２においては、説明の便宜上、ＣＭＹＫの各色について、それぞれ３個のインクジェットヘッド２０２を有する場合の構成を図示した。しかし、各色用のインクジェットヘッド２０２の数は、３個以外の数であってもよい。例えば、各色用のインクジェットヘッド２０２の数は、１個であってもよい。また、ヘッド部１２は、他の色について、一又は複数のインクジェットヘッド２０２を更に有してもよい。例えば、ヘッド部１２は、ＣＭＹＫの各色に加え、Ｗ（白）、ＣＬ（クリア）、ＰＲ（プライマ）等の各色の一部又は全てのインクジェットヘッド２０２を更に有してもよい。
【００４８】
続いて、マルチパス方式で行う印刷の動作について、各印刷パス毎の印刷の濃度の設定について、説明をする。本例において、印刷装置１０は、媒体５０（図１参照）における同じ領域に対して、予め設定されたＮ回（Ｎは、３以上の整数）の印刷パスのそれぞれに対応する主走査動作を行う。この場合、ヘッド部１２（図１参照）のノズル列２０６において並ぶ複数のノズル２０８は、ヘッド前端側からヘッド後端側へ向かって、それぞれの印刷パス分のインク滴を吐出するノズル２０８になる。尚、この場合、ヘッド後端側とは、ヘッド部において、１番目の印刷パス分のインク滴を吐出するノズルから、Ｎ番目の印刷パス分のインク滴を吐出するノズルへ向かう方向である。また、ヘッド前端側とは、ヘッド後端側と反対の側である。
【００４９】
図３は、各印刷パス毎の印刷の濃度の設定の一例を示す。図３に示した場合において、印刷装置１０は、１２回の印刷パスにより印刷を行う。そして、この場合、ヘッド部１２のノズル列２０６中のノズル２０８は、図示のように、ヘッド前端側からヘッド後端側へ、１パス目〜１２パス目のそれぞれの印刷パス用に割り当てられる。
【００５０】
尚、図２を用いて説明をしたように、本例において、ヘッド部１２のノズル列２０６は、３個のインクジェットヘッド２０２のノズル列２０４により構成されている。そのため、この場合、より具体的には、最もヘッド前端側にあるインクジェットヘッド２０２のノズル列２０４のノズルが、１パス目〜４パス目のそれぞれの印刷パス用に割り当てられる。また、ヘッド前端側から２番目にあるインクジェットヘッド２０２のノズル列２０４のノズルが、５パス目〜８パス目のそれぞれの印刷パス用に割り当てられる。そして、最もヘッド後端側にあるインクジェットヘッド２０２のノズル列２０４のノズルが、９パス目〜１２パス目のそれぞれの印刷パス用に割り当てられる。
【００５１】
また、図３においては、図示の便宜上、ノズル２０８の配置について、一の印刷パスに対応するノズル２０８の個数を減らす等の簡略化を適宜行っている。実際の構成において、それぞれのインクジェットヘッド２０２のノズル列２０４を構成する複数のノズル２０８は、例えば、副走査方向へ、３００ｄｐｉの解像度のピッチで並ぶ。また、マルチパス方式の印刷の動作において、副走査駆動部１６は、各回の副走査動作における媒体５０の送り量について、例えばノズル２０８のピッチ未満の距離をずらした送り量を用いてもよい。より具体的には、例えば、１回の副走査動作における媒体５０の送り量について、ノズル２０８のピッチの半分のずれが生じるように設定すること等が考えられる。この場合、副走査方向における印刷の解像度は、ノズル２０８のピッチに対応する解像度の２倍である６００ｄｐｉになる。また、１回の副走査動作における媒体５０の送り量について、ノズル２０８のピッチの１／３分のずれが生じるように設定すること等も考えられる。この場合、副走査方向における印刷の解像度は、ノズル２０８のピッチに対応する解像度の３倍である９００ｄｐｉになる。
【００５２】
本例において、制御部２２（図１参照）は、少なくとも、媒体における同じ領域に対して行うＮ回の印刷パスのうち、最後のｋ回（ｋは、１以上Ｎ未満の所定の整数）の印刷パスにおいて行う印刷の濃度を、（Ｎ−ｋ）番目の印刷パスにおいて行う印刷の濃度よりも低く設定する。この場合、各回の印刷パスにおいて行う印刷の濃度とは、例えば、印刷パス幅のバンド領域内に対し、その印刷パスにおいて形成するインクのドットの密度に対応する濃度のことである。また、インクのドットの密度に対応する濃度とは、例えば、インクのドットの密度に応じて適宜規格化等を行った濃度であってよい。
【００５３】
更に、制御部２２は、ヘッド部１２のノズル列２０６のうち、（Ｎ−ｋ＋１）番目の印刷パスの分のインク滴を吐出する複数のノズルのそれぞれにより行う印刷の濃度を、ヘッド後端側へ向かって徐々に低く設定する。この場合、複数のノズルのそれぞれにより行う印刷の濃度とは、例えば、そのノズルにより１回の主走査動作で形成するインクのドットの密度に対応する濃度である。また、この場合、インクのドットの密度は、例えば、主走査方向におけるインクの並びの密度である。
【００５４】
また、より具体的に、制御部２２は、例えば図３の右側部分に示すように、それぞれの印刷パスに対応する濃度の設定を行う。これにより、制御部２２は、例えば、最後の１回である１２番目の印刷パスにおいて行う印刷の濃度を、最後から２番目の印刷パスである１１番目の印刷パスにおいて行う印刷の濃度よりも低く設定する。また、制御部２２は、ヘッド部１２のノズル列２０６のうち、少なくとも、最後の１回の印刷パスの分のインク滴を吐出する複数のノズルのそれぞれにより行う印刷の濃度を、ヘッド後端側へ向かって徐々に低く設定する。
【００５５】
このように構成すれば、例えば、最後の印刷パス等における印刷の濃度を低くすることにより、インクの層の表層部に形成するインクのドットについて、例えば、密度を小さくし、ドットの連結等を生じにくくすることができる。また、これにより、インクの層の表層部について、インクのドットの形状を適切に均一化できる。そのため、本例によれば、例えば、紫外線硬化型インクを用いてマルチパス方式で印刷を行う場合において、縞状の模様が発生すること等を適切に抑えることができる。
【００５６】
また、この場合、直前の印刷パスと比べて印刷の濃度を低くする印刷パスについて、印刷パス全体の濃度を均一に低くするのではなく、その印刷パスの分のインク滴を吐出する複数のノズルのそれぞれにより行う印刷の濃度を、ヘッド後端側へ向かって徐々に低く設定する。そのため、印刷パス単位で印刷の濃度がステップ状に大きく変化することはない。従って、本例によれば、例えば、印刷パスの境界が目立つことも適切に防ぐことができる。
【００５７】
また、本例において、ヘッド部１２のノズル列２０６における複数のノズル２０８のそれぞれにより行う印刷の濃度について、制御部２２は、より具体的に、副走査方向におけるノズル列２０６の中央部分を中心にして、ヘッド前端側へ向かう方向と、ヘッド後端側へ向かう方向とで濃度の変化の仕方が対称になるように設定する。例えば、制御部２２は、図３の右側部分に示すように、副走査方向におけるノズル列２０６の中央部分のノズル２０８により行う印刷の濃度を最も高くすることにより、中央部分のノズル２０８により行う印刷の濃度をノズル列２０６の端のノズル２０８により行う印刷の濃度よりも高く設定する。また、複数のノズル２０８のそれぞれにより行う印刷の濃度について、中央部分から離れるに従って徐々に濃度が低くなるように設定する。
【００５８】
このように構成すれば、最後の印刷パス等の印刷の濃度について、低い濃度を適切に設定できる。また、これにより、例えば、インクの層の表層部について、インクのドットの形状をより適切に均一化できる。
【００５９】
ここで、マルチパス方式で印刷を行う場合、それぞれの印刷パスによる印刷の濃度を合計した濃度について、予め設定された所定の濃度に合わせることが必要となる。そのため、例えば、いずれかの印刷パスの濃度を低くした場合、他の印刷パスの濃度について、その分だけ、濃度を高めることが必要となる。
【００６０】
また、濃度の設定について、単に印刷パス単位で設定するのではなく、本例のように、ノズル単位で濃度を設定し、一の印刷パスの分のインク滴を吐出する複数のノズルによる印刷の濃度について、徐々に変化するように設定した場合、他の印刷パスにおいて、この変化分を補完するように濃度を設定することが必要になる。しかし、このような補完を行うための濃度の設定は、必ずしも容易なものではなく、複雑になる場合がある。
【００６１】
これに対し、本例においては、例えば、濃度の変化の仕方に上記のような対称性を持たせることにより、各ノズル２０８による印刷の濃度について、ヘッド後端側とヘッド前端側との間で適切に補完することができる。また、これにより、最後の印刷パス等の印刷の濃度を適切に低くすることができる。そのため、本例によれば、例えば、インクの層の表層部について、インクのドットの形状をより適切に均一化できる。
【００６２】
また、例えば図３の右側部分に示すように、本例においては、最後の印刷パスのみではなく、ノズル列２０６の中央部よりもヘッド後端側のノズル２０８で印刷を行う各印刷パスについて、直前の印刷パスよりも濃度を低く設定している。そのため、より具体的に、最後の印刷パスのみではなく、例えば最後から２番目の印刷パスである１１番目の印刷パス等についても、その前の印刷パスである１０番目の印刷パス等と比べ、濃度を低く設定することになる。そして、この場合、例えば、最後から２番目の印刷パス等で形成するインクのドットについても、例えば、密度を小さくし、ドットの連結等を生じにくくすることができる。また、これにより、例えば、インクの層の表層部について、インクのドットの形状をより適切に均一化できる。
【００６３】
尚、以上の説明において、各回の印刷パスにおいて行う印刷の濃度、及び、複数のノズル２０８のそれぞれにより行う印刷の濃度は、より具体的に、印刷装置において予め設定された濃度により媒体を塗りつぶす場合の濃度であってよい。この濃度は、例えば、印刷装置において予め設定されている１００％の濃度であってよい。また、印刷装置の設定に応じて、例えば、２００％又は３００％等と定義される濃度であってもよい。
【００６４】
また、最後の印刷パス等の印刷パスの分のインク滴を吐出する複数のノズル２０８のそれぞれにより行う印刷の濃度について、ヘッド後端側へ向かって徐々に低く設定するとは、例えば、ヘッド後端側へ向かう程濃度が低くなるように、それぞれのノズルに対応する印刷の濃度を設定することである。この場合、必ずしも全てのノズルについて濃度を異ならせるのではなく、例えば一部のノズルについて、隣接するノズルと同じ濃度を設定してもよい。例えば、各ノズルによる印刷の濃度について、予め設定された複数本のノズルを単位にして、徐々に変化させてもよい。この場合、印刷の濃度は、例えば階段状に変化してよい。この場合も、例えば、印刷パスを単位にステップ状に変化させる場合と比べ、濃度の変化を適切かつ十分に緩やかにできる。また、これにより、印刷パスの境界が目立つことを適切に防ぐことができる。また、各ノズルによる印刷の濃度は、より精細に、１本のノズルを単位にして、徐々に変化させてもよい。このように構成すれば、例えば、印刷パスの境界が目立つことをより適切に防ぐことができる。
【００６５】
また、最後の印刷パス等において、それぞれのノズル２０８により行う印刷の濃度を低くする場合、副走査方向における位置が同じライン上に形成する複数のインクのドットの位置については、例えばディザ法や誤差拡散法等を用いて決定される一定のルールに基づいて分散させる。このように構成すれば、例えば、低い濃度で印刷を行うノズル２０８について、形成するドットの位置を適切に分散させることができる。
【００６６】
図４は、本例の濃度設定を用いて行った印刷の結果を示す図であり、図３に示した濃度設定を用いた場合について、印刷装置１０において用いる各色のインク（ＣＭＹＫの各色等）のインク滴を順次吐出しつつ、１回の主走査動作を行った様子を示す。図４（ａ）は、１回の主走査動作による印刷結果の一例を示す写真である。図４（ｂ）は、印刷結果の一部を拡大して示す写真である。
【００６７】
両写真からわかるように、図３を用いて説明をしたような濃度の設定を用いて主走査動作を行った場合、ヘッド部１２の中央部のノズルにより印刷された部分の濃度は高くなり、ヘッド前端側及びヘッド後端側のノズルにより印刷された部分の濃度は低くなる。また、この場合、実際の印刷の動作においては、副走査動作を間に挟んで複数回の主走査動作を行うことにより、上記において説明をしたように、最後の印刷パス等の印刷の濃度を低い濃度を適切に設定できる。また、これにより、例えば、インクの層の表層部について、インクのドットの形状をより適切に均一化できる。
【００６８】
尚、本例のように、複数の色（ＣＭＹＫの各色等）のインクを用いる場合、濃度の設定の勾配等について、色毎に異ならせてもよい。このように構成すれば、例えば、各色のインクの特性に合わせ、より高い精度で印刷を行うことができる。
【００６９】
ここで、本例においてインクのドットが硬化する様子について、更に詳しく説明をする。図５は、インクのドットの硬化の仕方について説明をする図である。図５（ａ）は、媒体へのインク滴の着弾後、紫外線が照射されるまでの時間と、硬化後のインクのドットの高さとの関係の一例を示すグラフである。
【００７０】
紫外線を照射される前の状態において、紫外線硬化型インクは、ノズルから吐出可能な低い粘度の状態になっている。そのため、媒体へのインク滴の着弾により形成されるインクのドットは、時間の経過により、徐々に拡がる。また、このドットの拡がりは、紫外線の照射によりインクを十分に硬化させることにより終了する。そのため、紫外線が照射されるまでの時間と、硬化後のインクのドットの高さとの関係は、グラフに示すように、紫外線が照射されるまでの時間が長くなる程、硬化後のインクのドットの高さが低くなる関係になる。また、グラフに示したように、紫外線が照射されるまでの時間に対するドットの高さの変化は、通常、ある程度の時間までの期間は傾きが急な変化になっている。
【００７１】
ここで、図２等を用いて説明をしたように、本例において、ヘッド部１２（図２参照）は、複数色のインクジェットヘッド２０２（図２参照）が主走査方向に並んだ構成を有している。また、紫外線照射部２０は、ヘッド部１２に対し、主走査方向の両側に配設される。そして、主走査方向における往路方向及び復路方向の各方向の主走査動作においては、ヘッド部１２の後方側になる紫外線照射部２０により、媒体５０上のインクに紫外線を照射する。
【００７２】
しかし、図２に示した構成等からわかるように、各色のインクジェットヘッド２０２は、必ずしも２個の紫外線照射部２０のそれぞれと等距離の位置には配設されていない。また、図２に示した以外の構成を考えた場合も、複数色のインクジェットヘッドを用いる場合、少なくともいずれかの色については、通常、２個の紫外線照射部２０のそれぞれとの距離が異なる位置に配設される。
【００７３】
そして、これらの場合、往路方向の主走査動作と、復路方向の主走査動作とで、紫外線が照射されるまでの時間が異なることになる。また、印刷装置において、近年求められている印刷速度で印刷を行う場合、通常、グラフ中に矢印で示したような、ドットの高さの変化が時間に対して比較的敏感な期間に紫外線を照射することが必要になる。そのため、往復の両方向の主走査動作を行う場合、通常、往路方向の主走査動作と、復路方向の主走査動作との間で、硬化後のインクのドットの高さに差が生じやすくなる。また、その結果、紫外線硬化型インクを用いて、マルチパス方式で印刷を行う場合、主走査動作を行う方向により、それぞれの印刷パスの印刷結果に差が生じる場合がある。より具体的には、例えば、主走査動作を行う方向に応じて、凹凸の差が大きなマット状の印刷結果と、凹凸の差が小さなグロス状の印刷結果とが交互に現れること等が考えられる。そして、これらの現象は、例えば従来の方法で印刷を行った場合に縞状の模様が生じることの原因の一つになっているとも考えられる。
【００７４】
これに対し、本例においては、図３に関連して説明をしたように、最後の印刷パス及びその前の印刷パスについて、印刷の濃度を低く設定している。そのため、本例においては、複数回の主走査動作における最後の往復により形成するインクのドットの数を適切に低減できる。また、これにより、インクの層の表層部について、主走査動作の方向による影響を適切に抑えることができる。
【００７５】
また、上記においても説明をしたように、本例においては、最後の印刷パス等における印刷の濃度を低くすることにより、インクの層の表層部に形成するインクのドットについて、例えば、密度を小さくし、ドットの連結等を生じにくくしている。また、これにより、インクの層の表層部について、インクのドットの形状を均一化している。そこで、インクのドットの硬化の仕方に関連して、このような効果についても、更に詳しく説明をする。
【００７６】
図５（ｂ）は、インクのドットが連結する様子の一例を示す。１回の印刷パスにおいて、例えば隣接する画素間等の近接した位置に複数のインクのドット３０２を形成した場合、液体状態のドット３０２が互いに接触しやすくなる。そして、このような接触が生じた場合、インクのドットは連結し、図中の右側に示すように、大きな一つのドットになる。また、この場合、媒体とインクとの接触角が大きくなるため、インクのドットが拡がりやすくなり、より短時間でインクのドットが平坦化する。また、例えば印刷パスにおける印刷の濃度が高い場合には、形成するドットの数が多くなるため、このようなドットの連結が生じやすくなる。更には、その結果、連結の発生した箇所と、連結しなかった箇所との間で、インクのドットの形状や高さに差が生じやすい。
【００７７】
一方、本例における最後の印刷パス等のように、印刷の濃度が低い場合、インクのドットを離散的に形成できるため、インクのドットの連結は生じにくい。また、最後の印刷パス等においては、図５（ｃ）に示すように、インクのドットを形成すべき領域の周囲に、先に印刷パスにより、既に硬化しているインクのドットが形成されている。図５（ｃ）は、最後の印刷パス等において形成するインクのドットの様子の一例を示す。
【００７８】
この場合、硬化済みのドット３０２により周囲が囲まれているため、硬化する前の液体の状態においても、インクのドット３０２が拡がり得る領域は限定される。また、媒体とインクとの接触角も小さくなるため、平坦化も生じにくい。そのため、この場合、紫外線が照射されるまでの時間がある程度異なったとしても、硬化後のインクのドットの高さに差は生じにくい。より具体的には、例えば、往路方向の主走査動作と、復路方向の主走査動作とで、ヘッド部１２の構造により紫外線が照射されるまでの時間に差が生じたとしても、形成されるインクのドットの高さに差が生じにくくなると考えられる。そのため、本例によれば、例えば、往路方向及び復路方向への両方向への主走査動作を行う場合においても、インクの層の表層部に形成するインクのドットについて、主走査動作の方向によるドットの高さの差を適切に抑えることができる。また、これにより、主走査動作の方向による影響をより適切に抑えることができる。
【００７９】
続いて、本例において行う濃度の設定について、図３を用いて説明した構成以外の変形例を説明する。図６は、濃度の設定の変形例を示す図であり、図３の右側に示した濃度の設定に変えて用いる濃度の設定の例を示す。図６（ａ）は、濃度の設定の第１の変形例を示す。図６（ｂ）は、濃度の設定の第２の変形例を示す。
【００８０】
図３においては、ヘッド部１２のノズル列２０６（図２参照）における複数のノズルのそれぞれにより行う印刷の濃度について、曲線状に徐々に変化する場合の例を示した。しかし、濃度の変化は、図６（ａ）に示すように、直線状に設定してもよい。また、濃度の変化について、例えば図６（ｂ）に示すように、ノズル列２０６の中央部分等の一部の範囲について、濃度を一定にしてもよい。これらの場合も、図３に示した濃度の設定の場合と同様に、最後の印刷パス等の印刷の濃度を低い濃度を適切に設定できる。また、これにより、例えば、インクの層の表層部について、インクのドットの形状をより適切に均一化できる。更には、その他の効果についても、同様に得ることができる。
【００８１】
また、本例のように、同一の色について複数のインクジェットヘッド２０２（図２参照）を用いる場合、ヘッド部１２全体のノズル列２０６のみではなく、個々のインクジェットヘッド２０２のノズル列２０４（図２参照）に合わせてそれぞれの印刷パスの濃度を設定することも考えられる。図７は、濃度の設定の更なる変形例（以下、第３の変形例という）を示す図であり、図３の右側に示した濃度の設定に変えて用いる濃度の設定の例を示す。尚、以下に説明をする点を除き、図７において、図３等と同じ符号を付した構成は、図３等における構成と同一又は同様の特徴を有する。
【００８２】
第３の変形例において、制御部２２（図１参照）は、スタガ状に並ぶ同一色用の複数のインクジェットヘッド２０２のそれぞれにおけるノズル列２０４に含まれる複数のノズル２０８により行う印刷の濃度について、図中に示すように、副走査方向におけるノズル列２０４の中央部分のノズルにより行う印刷の濃度が高く、かつ、中央部分から離れるに従って徐々に濃度が低くなるように設定する。このように構成した場合も、例えば、最後の印刷パス等の印刷の濃度について、低い濃度を適切に設定できる。また、これにより、例えば、インクの層の表層部について、インクのドットの形状をより適切に均一化できる。更には、その他の効果についても、図３に示した濃度の設定を用いる場合と同様に得ることができる。
【００８３】
また、それぞれのインクジェットヘッド２０２において、ノズル列２０４の端のノズル２０８は、中央部のノズル２０８と比べ、着弾位置のずれ等が生じやすい。これに対し、第３の変形例のように構成した場合、スタガ状に並ぶそれぞれのインクジェットヘッド２０２において、ノズル列２０４の端のノズル２０８について、そのノズル２０８による印刷の濃度を低く設定することになる。そのため、例えばそれぞれのインクジェットヘッド２０２について、ノズル列２０４の端のノズル２０８の影響を適切に低減できる。また、これにより、例えばノズル列２０４の端のノズル２０８において着弾位置のずれ等が生じた場合にも、印刷結果への影響を適切に抑えることができる。そのため、このように構成すれば、例えば、スタガ状に並ぶ複数のインクジェットヘッド２０２の構成に合わせ、各印刷パスの濃度を適切に設定できる。
【００８４】
図８は、第３の変形例の濃度設定を用いて行った印刷の結果を示す図であり、１回の主走査動作による印刷結果の一例について、写真を示す。写真からわかるように、図７を用いて説明をしたような濃度の設定を用いて主走査動作を行った場合、それぞれのインクジェットヘッド２０２のノズル列２０４（図７参照）における中央部のノズルにより印刷された部分の濃度は高くなり、それぞれのインクジェットヘッド２０２におけるヘッド前端側及びヘッド後端側のノズルにより印刷された部分の濃度は低くなる。その結果、ヘッド部１２全体のノズル列２０６（図７参照）においても、ヘッド前端側及びヘッド後端側のノズルにより印刷された部分の濃度は低くなる。そのため、この場合も、上記においても説明したように、例えば、最後の印刷パス等の印刷の濃度を低い濃度を適切に設定できる。また、これにより、例えば、インクの層の表層部について、インクのドットの形状をより適切に均一化できる。
【００８５】
尚、個々のインクジェットヘッド２０２のノズル列２０４に合わせてそれぞれの印刷パスの濃度を設定する場合においても、例えば、図７に示した構成以外の濃度の設定を用いてもよい。例えば、それぞれのインクジェットヘッド２０２のノズル列２０４で行う範囲の印刷の濃度について、図６（ａ）を用いて説明をした濃度の設定と同様にして、濃度の設定を直線状に変化させてもよい。また、図６（ｂ）を用いて説明をした濃度の設定と同様にして、それぞれのインクジェットヘッド２０２におけるノズル列２０４の中央部分等の一部の範囲について、濃度を一定にすること等も考えられる。これらの場合も、スタガ状に並ぶ複数のインクジェットヘッド２０２の構成に合わせ、各印刷パスの濃度を適切に設定できる。
【００８６】
以上、本発明を実施形態を用いて説明したが、本発明の技術的範囲は上記実施形態に記載の範囲には限定されない。上記実施形態に、多様な変更又は改良を加えることが可能であることが当業者に明らかである。その様な変更又は改良を加えた形態も本発明の技術的範囲に含まれ得ることが、特許請求の範囲の記載から明らかである。
【産業上の利用可能性】
【００８７】
本発明は、例えば印刷装置に好適に利用できる。
【符号の説明】
【００８８】
１０・・・印刷装置、１２・・・ヘッド部、１４・・・主走査駆動部、１６・・・副走査駆動部、１８・・・プラテン、２０・・・紫外線照射部、２２・・・制御部、５０・・・媒体、１０２・・・キャリッジ、１０４・・・ガイドレール、２０２・・・インクジェットヘッド、２０４・・・ノズル列、２０６・・・ノズル列、２０８・・・ノズル、３０２・・・ドット
【図１】
2015096316.tif 000003
【図２】
2015096316.tif 000004
【図３】
2015096316.tif 000005
【図５】
2015096316.tif 000006
【図６】
2015096316.tif 000007
【図７】
2015096316.tif 000008
【図４】
2015096316.tif 000009
【図８】
2015096316.tif 000010